(57)【要約】【課題】ＰＯＰ装置の装着に連動して、電子値札装置を適切に管理することができる商品情報表示システム、電子値札、商品情報表示システムの表示制御方法およびプログラムを提供すること。【解決手段】商品情報を表示する電子値札装置７と、当該電子値札装置７に装着され、表示価格に付加して表示すべき付加情報を表示するＰＯＰ装置８と、を含む電子表示装置２と、電子表示装置２の表示制御を行うホスト装置５と、を有する商品情報表示システム１であって、ホスト装置５は、販売商品毎に、電子値札装置７に表示するための表示価格が記録された商品マスタ７１と、電子表示装置２から、ＰＯＰ装置８に表示されている付加情報を取得する付加情報取得手段と、取得した付加情報に基づいて、商品マスタ７１に記録された表示価格７４を、取得した付加情報に対応した価格に書き換える書き換え手段と、を備えた。【選択図】図４
2008212445.tif 000002
【特許請求の範囲】
【請求項１】
販売商品の表示価格を含む商品情報を表示する電子値札装置と、当該電子値札装置に装着され、前記表示価格に付加して表示すべき付加情報を表示するＰＯＰ装置と、を含む電子表示装置と、
前記電子表示装置の表示制御を行うホスト装置と、を有する商品情報表示システムであって、
前記ホスト装置は、
前記販売商品毎に、前記電子値札装置に表示するための前記表示価格が記録された商品マスタと、
前記電子表示装置から、前記ＰＯＰ装置に表示されている前記付加情報を取得する付加情報取得手段と、
取得した前記付加情報に基づいて、前記商品マスタに記録された前記表示価格を、取得した前記付加情報に対応した価格に書き換える書き換え手段と、を備えたことを特徴とする商品情報表示システム。
【請求項２】
前記商品マスタには、前記販売商品毎の通常価格がさらに記録されており、
前記付加情報には、前記販売商品の割引率に関する割引情報を含んでおり、
前記書き換え手段は、
前記表示価格を、取得した前記付加情報の前記割引情報と前記通常価格とに基づいて算出した算出価格に書き換えることを特徴とする請求項１に記載の商品情報表示システム。
【請求項３】
前記商品マスタには、前記販売商品毎に、複数種類の前記付加情報に対応した異なる複数種類の選択価格がさらに記録されており、
前記書き換え手段は、前記複数種類の選択価格の中から、取得した前記付加情報に対応する前記選択価格を決定し、前記表示価格を、当該選択価格に書き換えることを特徴とする請求項１に記載の商品情報表示システム。
【請求項４】
前記ホスト装置は、
前記商品マスタに記録されている前記表示価格であるホスト価格と、前記付加情報に基づく前記算出価格または前記選択価格であるＰＯＰ価格とのいずれを優先するかを指定する優先価格指定手段と、
前記優先価格指定手段により前記ホスト価格が指定され、且つ当該ホスト価格と前記ＰＯＰ価格とが異なる場合に、エラー報知するホスト側エラー報知手段と、をさらに備え、
前記書き換え手段は、前記優先価格指定手段により前記ＰＯＰ価格が指定された場合に、前記ホスト価格を前記ＰＯＰ価格に書き換えることを特徴とする請求項２または３に記載の商品情報表示システム。
【請求項５】
前記ホスト装置は、前記ホスト側エラー報知手段によるエラー報知に従って、前記電子表示装置に、エラー報知を指示するエラー報知指示手段をさらに備え、
前記電子表示装置は、前記エラー報知指示手段による指示に従って前記エラー報知を行う表示装置側エラー報知手段をさらに備えたことを特徴とする請求項４に記載の商品情報表示システム。
【請求項６】
前記書き換え手段は、
前記優先価格指定手段により、前記ＰＯＰ価格が指定された場合に、前記書き換え手段により所定の時刻に前記ホスト価格を、当該ＰＯＰ価格に書き換えることを特徴とする請求項４または５に記載の商品情報表示システム。
【請求項７】
前記電子表示装置は、
前記ホスト装置に対し、前記書き換え手段により前記ホスト価格を前記ＰＯＰ価格に書き換えるように指示する書き換え指示手段をさらに備えたことを特徴とする請求項４ないし６のいずれか１項に記載の商品情報表示システム。
【請求項８】
請求項１ないし７のいずれか１項に記載の商品情報表示システムに用いられる電子値札装置として機能する電子値札。
【請求項９】
販売商品の表示価格を含む商品情報を表示する電子値札装置と、当該電子値札装置に装着され、前記表示価格に付加して表示すべき付加情報を表示するＰＯＰ装置と、を含む電子表示装置と、
前記販売商品毎に、前記電子値札装置に表示するための前記表示価格が記録された商品マスタを備えると共に、前記電子表示装置の表示制御を行うホスト装置と、を有する商品情報表示システムの表示制御方法であって、
前記ホスト装置が、
前記電子表示装置から、前記ＰＯＰ装置に表示されている前記付加情報を取得するステップと、
取得した前記付加情報に基づいて、前記商品マスタに記録された前記表示価格を、取得した付加情報に対応した価格に書き換えるステップと、を実行することを特徴とする商品情報表示システムの表示制御方法。
【請求項１０】
コンピュータに、請求項９に記載の商品情報表示システムの表示制御方法における各ステップを実行させるためのプログラム。
【発明の詳細な説明】
【技術分野】
【０００１】
販売商品の表示価格を含む価格情報を表示する商品情報表示システム、電子値札、商品情報表示システムの表示制御方法およびプログラムに関するものである。
【背景技術】
【０００２】
従来、この種の商品情報表示システムに用いられる電子値札装置として、ＰＯＰ装置を装着したものが知られている。この電子値札装置に装着されるＰＯＰ装置は、プラスチック材等の薄板材で、中央に電子値札装置を装着するための駆形状の開口が形成され、その開口の周囲に販売促進に関する情報や広告が表記されている。そして、広告を変更する場合、手作業により電子値札装置のＰＯＰ装置を付け替えることにより対応している（特許文献１参照）。
【特許文献１】特開２００１−１７８５９９号公報
【発明の開示】
【発明が解決しようとする課題】
【０００３】
しかし、上記の商品情報表示システムは、システムを統括管理するホスト装置により電子値札装置の表示価格が管理されているため、ＰＯＰ装置を付け替えると、付け替えた時点では、ＰＯＰ装置に表記された内容と電子値札装置の表示価格との間にズレが生じてしまうという問題があった。この問題を解決するため、作業者は、ＰＯＰ装置を付け替える度に、ホスト装置に管理されている電子値札装置の表示価格をＰＯＰ装置に表記された内容を反映した価格に直す必要があり、作業者にとって煩わしい作業となっていた。
【０００４】
そこで、ＰＯＰ装置の装着に連動して、電子値札装置を適切に管理することができる商品情報表示システム、電子値札、商品情報表示システムの表示制御方法およびプログラムを提供することをその課題としている。
【課題を解決するための手段】
【０００５】
本発明の商品情報表示システムは、販売商品の表示価格を含む商品情報を表示する電子値札装置と、当該電子値札装置に装着され、表示価格に付加して表示すべき付加情報を表示するＰＯＰ装置と、を含む電子表示装置と、電子表示装置の表示制御を行うホスト装置と、を有する商品情報表示システムであって、ホスト装置は、販売商品毎に、電子値札装置に表示するための表示価格が記録された商品マスタと、電子表示装置から、ＰＯＰ装置に表示されている付加情報を取得する付加情報取得手段と、取得した付加情報に基づいて、商品マスタに記録された表示価格を、取得した付加情報に対応した価格に書き換える書き換え手段と、を備えたことを特徴とする。
【０００６】
本発明の商品情報表示システムの表示制御方法は、販売商品の表示価格を含む商品情報を表示する電子値札装置と、当該電子値札装置に装着され、表示価格に付加して表示すべき付加情報を表示するＰＯＰ装置と、を含む電子表示装置と、販売商品毎に、電子値札装置に表示するための表示価格が記録された商品マスタを備えると共に、電子表示装置の表示制御を行うホスト装置と、を有する商品情報表示システムの表示制御方法であって、ホスト装置が、電子表示装置から、ＰＯＰ装置に表示されている付加情報を取得するステップと、取得した付加情報に基づいて、商品マスタに記録された表示価格を、取得した付加情報に対応した価格に書き換えるステップと、を実行することを特徴とする商品情報表示システムの表示制御方法。
【０００７】
これらの構成によれば、ＰＯＰ装置装着時に商品マスタに記録された電子値札装置の表示価格が電子表示装置から取得した付加情報に基づいて、付加情報に対応した価格に書き換わるため、ＰＯＰ装置に表記された内容と電子値札装置の表示価格との間にズレが生じることがない。このため、作業者は、ＰＯＰ装置を付け替える度にホスト装置に管理されている電子値札装置の表示価格を設定し直す必要ない。したがって、商品マスタを参照して決済処理を行うＰＯＳ端末において、価格変更を意識することなく処理を続けることができる。また例えば、ズレを報知する機能を備えた電子値札装置の場合、作業者が電子値札装置の報知を停止さるために歩きまわる必要がない。なお、ＰＯＰ装置は、付加情報を電子的に表示する電子ＰＯＰ装置でもよいし、付加情報が表面に印刷されたＰＯＰ表示具のいずれであってもよい。後者の場合、ＰＯＰ表示具に、付加情報を形成、印字または貼付することが好ましい（実施形態でフォローしても良い）。また、ＰＯＰ装着時に商品マスタの表示価格を自動的に書き換える構成とすれば、ＰＯＰ装置に表記された内容と電子値札装置の表示価格とを確実に一致させることができる。
【０００８】
この場合、商品マスタには、販売商品毎の通常価格がさらに記録されており、付加情報には、販売商品の割引率に関する割引情報を含んでおり、書き換え手段は、表示価格を、取得した付加情報の割引情報と通常価格とに基づいて算出した算出価格に書き換えることが、好ましい。
【０００９】
この構成によれば、ホスト装置が表示価格を算出して書き換えるため、商品マスタに、各付加情報に対応した価格を記憶させる必要が無く、商品マスタの容量を減らすことができる。
【００１０】
この場合、商品マスタには、販売商品毎に、複数種類の付加情報に対応した異なる複数種類の選択価格がさらに記録されており、書き換え手段は、複数種類の選択価格の中から、取得した付加情報に対応する選択価格を決定し、表示価格を、当該選択価格に書き換えることが、好ましい。
【００１１】
この構成によれば、ホスト装置が選択価格を選択して表示価格を書き換えるため、表示価格を算出する場合と比べて、処理が早く、迅速に付加情報を商品マスタに反映させることができる。
【００１２】
この場合、ホスト装置は、商品マスタに記録されている表示価格であるホスト価格と、付加情報に基づく算出価格または選択価格であるＰＯＰ価格とのいずれを優先するかを指定する優先価格指定手段と、優先価格指定手段によりホスト価格が指定され、且つ当該ホスト価格とＰＯＰ価格とが異なる場合に、エラー報知するホスト側エラー報知手段と、をさらに備え、書き換え手段は、優先価格指定手段によりＰＯＰ価格が指定された場合に、ホスト価格をＰＯＰ価格に書き換えることが、好ましい。
【００１３】
この構成によれば、作業者の作業状況に応じてホスト側で、ホスト価格およびＰＯＰ価格のうちいずれかを指定して電子値札装置に表示させることができる。また、ホスト価格を指定し、ホスト価格とＰＯＰ価格とが異なる場合に、ホスト装置は、エラー報知するので、ホスト装置側でＰＯＰ装置の付け間違いを防止することができる。また、ＰＯＰ価格を指定し、ホスト価格とＰＯＰ価格とが異なる場合に、ホスト価格をＰＯＰ価格に書き換えるため、ＰＯＰ装置に表記された内容とズレが生じることがない。なお、ホスト側エラー報知手段は、電子音などの音声報知でもよいし、ホスト装置のディスプレイに表示させて報知してもよい。
【００１４】
これらの場合、ホスト装置は、ホスト側エラー報知手段によるエラー報知に従って、電子表示装置に、エラー報知を指示するエラー報知指示手段をさらに備え、電子表示装置は、エラー報知指示手段による指示に従ってエラー報知を行う表示装置側エラー報知手段をさらに備えたことが、好ましい。
【００１５】
この構成によれば、ホスト装置によるエラー報知に伴って、現場に設置された電子表示装置がエラー報知するため、現場の作業員がエラーに対して迅速に対処することができる。なお、表示装置側エラー報知手段とは、電子音などの音声報知でもよいし、電子値札装置に表示させて報知してもよい。
【００１６】
これらの場合、書き換え手段は、優先価格指定手段により、ＰＯＰ価格が指定された場合に、書き換え手段により所定の時刻にホスト価格を、当該ＰＯＰ価格に書き換えることが、好ましい。
【００１７】
この構成によれば、所定の時刻に確実に電子値札装置のホスト価格をＰＯＰ価格に変更することができる。例えば、「１８時からタイムサービス」等のＰＯＰ装置を電子値札装置に装着している場合には、１８時まではホスト価格を優先させ、１８時以降にタイムサービスに対応したＰＯＰ価格を優先させることで、規定時刻に価格変更することができる。
【００１８】
これらの場合、電子表示装置は、ホスト装置に対し、書き換え手段によりホスト価格をＰＯＰ価格に書き換えるように指示する書き換え指示手段をさらに備えたことが、好ましい。
【００１９】
この構成によれば、現場側で作業者が、ホスト価格およびＰＯＰ価格のいずれかを優先させて電子値札装置に表示させることができるため、作業者は、ホスト装置の設置場所に赴くことなく、価格を書き換えることができる。
【００２０】
本発明の電子値札は、上記の商品情報表示システムに用いられる電子値札装置として機能することを特徴とする。
【００２１】
本発明のプログラムは、コンピュータに、上記の商品情報表示システムの表示制御方法における各ステップを実行させることを特徴とする。
【００２２】
これらの構成によれば、ＰＯＰ装置の装着に連動して、電子値札装置を適切に管理することができる電子値札およびプログラムを提供することができる。
【発明を実施するための最良の形態】
【００２３】
以下、添付の図面を参照して、本発明の一実施形態に係る商品情報表示システムについて説明する。図１のシステム構成図に示すように、商品情報表示システム１は、販売商品に関する各種情報を表示する複数の電子表示装置２（図では５つ）と、店舗の天井裏に設置され、電子表示装置２と無線通信で接続された複数（図示では３つ）のアンテナ３と、複数のアンテナ３と店舗内ＬＡＮ４を介して接続され、電子表示装置２の表示制御を行うホスト装置５と、から構成されている。また、電子表示装置２は、少なくとも表示価格７４（図２参照）を含む商品情報を表示する電子値札装置７と、電子値札装置７に電気的に接続され、表示価格７４に付加して表示すべき付加情報を表示する電子ＰＯＰ装置８と、で構成されている。
【００２４】
ホスト装置５は、電子値札装置７に電子値札装置７が表示する表示価格７４を管理する商品マスタ７１（図６参照）を備え、商品マスタ７１に基づいて生成した表示制御データを電子値札装置７に送信することで、電子値札装置７の表示制御を行う。また、ホスト装置５は、電子表示装置２に電子ＰＯＰ装置８が新たに装着された場合や、付け替えられた場合には、電子値札装置７を介して電子ＰＯＰ装置８から付加情報を取得し、付加情報を反映するように商品マスタ７１を更新させる。さらに、陳列された販売商品を変更した場合等は、ハンディターミナル（図示省略）で商品に付されたバーコードから商品情報（商品コード７２）を読み取り、電子値札装置７に直接入力することもできる。なお、ここでいう付加情報とは販売商品の販売促進のための広告・宣伝情報のことであり、電子ＰＯＰ装置８内に表示データファイルとして記憶されている。表示制御データとは、電子値札装置７に表示させるための表示価格７４および在庫管理情報８６（図２参照）と、が含まれたものである。
【００２５】
電子値札装置７は、図２に示すように薄板の長方形状に形成され、正面の両端には、後述する電子ＰＯＰ装置８に形成された一対の保持爪部２８、２８に係止される一対の係止溝１１、１１が形成されている。正面中央のディスプレイ３２は、ホスト装置５から送信された表示制御データに基づいて、表示価格７４および在庫管理情報８６を表示する。在庫管理情報８６は、今週販売実績数８１、在庫状況８５および先週販売実績数８０から構成され、縦一列に表示される。在庫状況８５は、「Ｆ」、「Ｎ」、「Ｅ」の３段階に表示され、「Ｆ」は在庫数問題なし、「Ｎ」は在庫数小、「Ｅ」は在庫切れ、をそれぞれ意味している。作業者は、在庫管理情報８６を見ることで、先週販売実績数８０から今週の売れ行きを予測し、今週販売実績数８１および在庫状況８５から発注数を指定できる構成となっている。
【００２６】
ディスプレイ３２の正面右側には、ホスト装置５に対し、商品マスタ７１に記憶された表示価格７４を価格更新させる価格更新ボタン１２が設けられている。この価格更新ボタン１２が押下されると、電子ＰＯＰ装置８に表示された表示データファイルの内容がホスト装置５に反映される（詳細は後述する）。ディスプレイ３２下方には、該当販売商品の商品名およびバーコードが印刷されたラベル１３が貼付されている。なお、ディスプレイ３２は、有機ＥＬなどの自発光タイプで輝度の高い表示素子等で構成してもよいし、消費電力の少ない液晶素子で構成するようにしてもよい。
【００２７】
電子ＰＯＰ装置８は、図３（ａ）、（ｂ）に示すように、板状フレームを断面Ｌ字型となるように屈曲形成したＰＯＰ本体２１と、ＰＯＰ本体２１の正面上部に設けたディスプレイ４２と、ＰＯＰ本体２１の正面下部に設けられた電子値札装置７を保持するための値札装着部２２と、ＰＯＰ本体２１の正面下部右側に設けられたディップスイッチ２３と、ＰＯＰ本体２１の背面に設けられた制御ボックス２４と、から構成されている。
【００２８】
値札装着部２２は、電子値札装置７の設置部となる背面プレート２５と、背面プレート２５の長手方向両端に設けられた一対の保持爪部２８、２８と、から構成されている。電子値札装置７は、一対の保持爪部２８、２８に、一対の係止溝１１、１１が係止されることにより上下左右に位置決め状態で固定される。背面プレート２５の表面には、４つの電極端子から成る接続インターフェース４９が埋設されており、電子値札装置７にも同様に接続インターフェース３９が埋設されている。そして、値札装着部２２に電子値札装置７が装着されると、両接続インターフェース４９、３９が接触し、電子ＰＯＰ装置８と電子値札装置７とが電気的に接続される。電子ＰＯＰ装置８および電子値札装置７は、この接続インターフェース４９、３９を介して、データの送受信を行う構成となっている。
【００２９】
ディップスイッチ２３は、ディスプレイ４２に表示される表示データファイル（付加情報）を選択する際に使用される。ディップスイッチ２３の各位置に対応して、側方に１から３までの数字が印字されており、各数字は、表示データファイルの種類に対応している。作業者は、ディップスイッチ２３を上下方向にスライド移動させて、各数字に対応した表示データファイルを選択し、ディスプレイ４２に表示させる。
【００３０】
制御ボックス２４は、内部に電子ＰＯＰ装置８の各部を制御するための電子部品を収容し（後述する）、制御ボックス２４の側部には、ＡＣアダプタの差込口２６およびＵＳＢポート２７を備えている。ＵＳＢポート２７は、ＵＳＢメモリなどにより、比較的容量の大きな表示データファイルをホスト装置５等のコンピュータから転送させるときに用いられる。
【００３１】
続いて、図４の制御構成図を参照して商品情報表示システム１の制御構成について説明する。最初に電子値札装置７の制御構成について説明する。
【００３２】
電子値札装置７は、ディスプレイ３２、価格更新ボタン１２、通信インターフェース３１、接続インターフェース３９、ＲＯＭ３４（Read Only Memory）、ＲＡＭ３５（Random Access Memory）、メインメモリ３７および処理演算部３６を備え、これらは内部バス３３により接続されている。ＲＯＭ３４には、制御プログラムが記憶されており、電子値札装置７内の処理動作を制御している。また、メインメモリ３７には、表示制御データから抽出された表示価格７４および在庫管理情報８６が記憶される。
【００３３】
通信インターフェース３１は、店舗内に設置されたアンテナ３と無線通信を行うためのものであり、電波受信回路（図示省略）を備えている。なお、無線通信に代えて赤外線により通信する構成としてもよい。
【００３４】
制御プログラムは、ディスプレイ３２の表示処理およびホスト装置５への価格更新指示処理を処理演算部３６で制御するものである。表示処理は、ホスト装置５から受信した表示制御データに基づいて、ディスプレイ３２に表示価格７４や在庫管理情報８６を表示するものである。電子値札装置７は、ホスト装置５から表示制御データを受信すると、表示制御データから表示価格７４および在庫管理情報８６を抽出し、これをメインメモリ３７に記憶させる。そして、電子値札装置７は、メインメモリ３７から表示価格７４および在庫管理情報８６を読み出して、ディスプレイ３２に表示させる。
【００３５】
価格更新指示処理は、電子ＰＯＰ装置８に表示される表示データファイルの変更に基づいて、ホスト装置５の商品マスタ７１を更新させるものである。電子値札装置７は、価格更新ボタン１２が押下されると、電子ＰＯＰ装置８に対し表示データファイルを示すＰＯＰコード８３の送信要求を行い、取得したＰＯＰコード８３を含めて価格更新指示情報を生成し、これをホスト装置５に対して送信する（書き換え指示手段）。そして、ホスト装置５は、受信した価格更新指示情報に基づいて、商品マスタ７１の表示価格７４を更新する（詳細は後述する）。
【００３６】
電子ＰＯＰ装置８は、ディスプレイ４２、接続インターフェース４９、ディップスイッチ２３、ＲＯＭ４４、Ｆｌａｓｈメモリ４７、ＲＡＭ４５および処理演算部４６を備え、これらは内部バス４３に接続されている。また、ＲＯＭ４４、Ｆｌａｓｈメモリ４７、ＲＡＭ４５、処理演算部４６および内部バス４３は、上記した制御ボックス２４内に収容されている。ＲＯＭ４４には、制御プログラムが記憶されており、電子ＰＯＰ装置８は、当該制御プログラムに基づいて各種処理を制御している。また、Ｆｌａｓｈメモリ４７には、ディスプレイ４２に表示させる表示データファイルが複数記憶される。
【００３７】
Ｆｌａｓｈメモリ４７は、図５に示すように、ＰＯＰコード８３と表示データファイルとを関連付けて記憶しており、このＰＯＰコード８３は、ディップスイッチ２３の各位置（数字）に対応している。つまり、ディップスイッチ２３を操作することにより、表示データファイルを容易に選択できる構成となっている。例えば、図３の電子ＰＯＰ装置８の数字「１」はＰＯＰコード８３「ＨＤ０１」に対応し表示データファイル「店長おすすめ品」を示し、数字「２」はＰＯＰコード８３「ＨＤ０２」に対応し表示データファイル「タイムサービス品」を示し、数字「３」はＰＯＰコード８３「ＨＤ０３」に対応し表示データファイル「本日特売品」を示している。そして、例えば、ディップスイッチ２３を操作して、数字「１」にあわせると、処理演算部４６がＲＯＭ４４内の制御プログラムに従い、Ｆｌａｓｈメモリ４７からＰＯＰコード８３「ＨＤ０１」を読出し、ディスプレイ４２にＰＯＰコード８３「ＨＤ０１」に対応する表示ファイルデータ「店長おすすめ品」を表示させる。
【００３８】
ホスト装置５は、入力デバイス６８、ディスプレイ６２、通信インターフェース６１、入出力インターフェース６９、内部バス６３、ＣＰＵ６６（Central Processing Unit）、ＲＯＭ６４、ＲＡＭ６５およびＨＤＤ６７（Hard Disk Drive）を備えている。ＨＤＤ６７には、商品マスタ７１および優先価格指定ツール８８（優先価格指定手段）を記憶している。ＲＯＭ６４には、制御プログラムが記憶されており、ホスト装置５は、制御プログラムに基づいて各種処理を制御している。
【００３９】
商品マスタ７１には、図６に示すように商品コード７２、商品名７３、表示価格７４、通常価格７５、特別価格７６、タイムサービス価格７７、お薦め価格７８、在庫数７９、先週販売実績数８０、今週販売実績数８１、値札ＩＤ８２およびＰＯＰコード８３が販売商品ごとに関連付けられて記憶されている。表示価格７４とは、販売商品の電子値札装置７に現在表示されている価格を示している。通常価格７５とは、販売商品の定価を示している。特別価格７６は通常価格７５の３割引、タイムサービス価格７７は通常価格７５の２割引、お薦め価格７８は通常価格７５の１割引をそれぞれ示している。値札ＩＤ８２は、ホスト装置５が電子値札装置７を特定するものであり、電子値札装置７との通信に利用される。
【００４０】
ＰＯＰコード８３は、電子値札装置７に装着された電子ＰＯＰ装置８に表示された表示データファイルを特定するものである。図６の例では、販売商品「さんま」はＰＯＰコード８３「ＨＤ０２」であり、対応する電子ＰＯＰ装置８に「タイムサービス品」が表示される。同様に、販売商品「牡蠣」、「キャベツ」、「カボチャ」はＰＯＰコード８３「ＨＤ０１」であり、対応する各電子ＰＯＰ装置８に「店長おすすめ品」が表示され、「オレンジ」はＰＯＰコード８３「ＨＤ０３」であり、対応する電子ＰＯＰ装置８に「本日特売品」が表示される。
【００４１】
そして、ＰＯＰコード８３「ＨＤ０１」はお薦め価格７８に対応し、ＰＯＰコード８３「ＨＤ０２」はタイムサービス価格７７に対応し、ＰＯＰコード８３「ＨＤ０３」は特別価格７６に対応している。つまり、図６の例では、販売商品「さんま」はＰＯＰコード８３「ＨＤ０２」であり、表示価格７４にタイムサービス価格７７が表示される。同様に、販売商品「牡蠣」、「キャベツ」、「カボチャ」はＰＯＰコード８３「ＨＤ０１」であり、表示価格７４にお薦め価格７８が表示され、販売商品「オレンジ」はＰＯＰコード８３「ＨＤ０３」であり、表示価格７４に特別価格７６が表示される。
【００４２】
優先価格指定ツール８８は、図７に示すように、ラジオボタン８９を選択することにより、ホスト装置５側を優先するか電子ＰＯＰ装置８側を優先するかを指定するものである。優先価格指定ツール８８において、ホスト装置５に対応するラジオボタン８９を選択した場合には、商品マスタ７１におけるホスト装置５を選択した時点での表示価格７４（以下、ホスト価格と称する）を優先する。一方、電子ＰＯＰ装置８に対応するラジオボタン８９を選択した場合には、ＰＯＰコード８３に対応する価格（以下、ＰＯＰ価格と称する）を優先する。
【００４３】
そして、ホスト価格が優先された状態で、電子値札装置７から価格更新指示情報が送信され、ホスト価格とＰＯＰ価格が異なる場合、ホスト装置５はエラーを報知する（ホスト側エラー報知手段）。また、ホスト装置５は、エラー報知に併せて、電子値札装置７にエラー指示情報を送信する（表示装置側エラー報知指示手段）。そして、電子値札装置７はエラー指示情報を受信するとエラーを報知する（表示装置側エラー報知手段）。一方、ＰＯＰ価格が優先された状態で、電子値札装置７から価格更新指示情報が送信された場合、ホスト装置５は価格更新処理を行う。なお、エラー報知とは、電子音などの音声報知でもよいし、ディスプレイ３２、６２に表示させて報知してもよい。このように、ホスト価格とＰＯＰ価格とが異なる場合に、ホスト装置５および電子値札装置７は、エラー報知するので、電子ＰＯＰ装置８の表示データファイルの表示間違いを防止することができる。
【００４４】
制御プログラムは、電子値札装置７から受信した価格更新指示情報に基づいて、商品マスタ７１の価格更新を行う価格更新処理の他、価格更新された商品マスタ７１に基づいて、電子値札装置７の表示制御を行う表示制御処理をＣＰＵ６６で制御するものである。価格更新処理は、ホスト装置５が価格更新指示情報を受信すると、価格更新指示情報からＰＯＰコード８３を抽出し、商品マスタ７１の電子値札装置７のＰＯＰコード８３を書き換える。そして、ホスト装置５は、書き換えられたＰＯＰコード８３に対応するＰＯＰ価格を決定し、現時点で商品マスタ７１に表示価格７４として設定されているホスト価格をＰＯＰ価格に書き換える（書き換え手段）。例えば、作業者が販売商品「キャベツ」に対応する電子値札装置７の価格更新ボタン１２を押下すると、販売商品「キャベツ」のＰＯＰコード８３「ＨＤ０１」であるためＰＯＰ価格はお薦め価格７８となり、「キャベツ」の表示価格７４がお薦め価格７８に書き換えられる。
【００４５】
表示制御処理は、ホスト装置５が商品マスタ７１を価格更新すると、商品マスタ７１から書き換え後の表示価格７４および在庫管理情報８６を抽出し、これらに基づいて表示制御データを生成する。ホスト装置５は、生成した表示制御データを、価格更新指示を要求した電子値札装置７に送信する。そして、表示制御データを受信した電子値札装置７は、更新された表示価格７４をディスプレイ３２に表示する。
【００４６】
続いて、図８のフローチャートを参照して、商品情報表示システム１における表示制御処理の流れについて説明する。
【００４７】
先ず、作業者が電子ＰＯＰ装置８のディップスイッチ２３を操作して、表示データファイルを変更し、電子値札装置７の価格更新ボタン１２を押下すると（Ｓ０１）、電子値札装置７は、電子ＰＯＰ装置８に対してＰＯＰコード８３の送信要求を行う（Ｓ０２）。電子値札装置７は、取得したＰＯＰコード８３から価格更新指示情報を生成し、ホスト装置５に送信する（Ｓ０３）。ホスト装置５は、商品マスタ７１における価格更新指示情報を送信した電子値札装置７のＰＯＰコード８３を、取得したＰＯＰコード８３に書き換える（Ｓ０４）。
【００４８】
このとき、優先価格指定ツール８８によりＰＯＰ価格が優先されている場合には（Ｓ０５：Ｙｅｓ）、ＰＯＰコード８３に基づいてＰＯＰ価格を決定し（Ｓ０６）、商品マスタ７１の現時点での表示価格７４であるホスト価格を、ＰＯＰ価格に書き換える（Ｓ０７）。ホスト装置５は、ＰＯＰ価格に基づいて、表示制御データを生成し、電子値札装置７に送信する（Ｓ０８）。電子値札装置７は、受信した表示制御データに基づいてディスプレイ３２の表示を切り換える（Ｓ０９）。
【００４９】
一方、優先価格指定ツール８８によりＰＯＰ価格ではなくホスト価格が優先されている場合には（Ｓ０５：Ｎｏ）、ホスト装置５は、ホスト価格とＰＯＰ価格とが同じ価格か否かを判定する（Ｓ１０）。ホスト装置５によりホスト価格とＰＯＰ価格とが異なる価格であると判定された場合（Ｓ１０：Ｎｏ）、ホスト装置５は、エラーを報知すると共に、エラー指示情報を当該電子値札装置７に送信する（Ｓ１１）。エラー指示情報を受信した電子値札装置７は、エラー報知する（Ｓ１２）。
【００５０】
以上の構成によれば、電子ＰＯＰ装置８装着時に商品マスタ７１に記録された電子値札装置７の表示価格７４が電子表示装置２から取得した付加情報に基づいて、付加情報に対応した価格に書き換わるため、電子ＰＯＰ装置８に表記された内容と電子値札装置７の表示価格７４との間にズレが生じることがない。このため、作業者は、電子ＰＯＰ装置８の表示を変える度にホスト装置５に管理されている電子値札装置７の表示価格７４を設定し直す必要ない。したがって、商品マスタ７１を参照して決済処理を行うＰＯＳ端末において、価格変更を意識することなく処理を続けることができる。また例えば、ズレを報知する機能を備えた電子値札装置７の場合、作業者が電子値札装置７の報知を停止さるために歩きまわる必要がない。
【００５１】
なお、ホスト価格の書き換えは、上記のように取得したＰＯＰコード８３に基づいてホスト価格を書き換える構成に代えて、電子ＰＯＰ装置８から販売商品の割引率を取得し、この割引率に基づいてホスト価格を書き換える構成としてもよい。この場合、電子ＰＯＰ装置８のＦｌａｓｈメモリ４７に、ＰＯＰコード８３、表示データファイルおよび割引率を関連付けて記憶しておく（図９参照）。そして、電子値札装置７が割引率を含めて価格更新指示情報を生成し、これをホスト装置５に送信すると、ホスト装置５は、受信した価格更新指示情報から割引率を抽出し、ホスト価格を商品マスタ７１の通常価格７５と割引率との積として算出されたＰＯＰ価格に書き換える。この場合、商品マスタ７１に、特別価格７６、タイムサービス価格７７、お薦め価格７８の情報が不要になるため、容量を減らすことができる。
【００５２】
なお、ホスト装置５は、ＰＯＰコード８３を更新指示情報に含めて電子値札装置７を介して電子ＰＯＰ装置８から取得する構成としたが、電子ＰＯＰ装置８から直接、取得する構成としてもよい。この場合、電子ＰＯＰ装置８に電子値札装置７と同様な通信インターフェース３１を設けておく。
【００５３】
なお、所定の時刻にホスト価格を書き換える構成としてもよい。この場合、商品マスタ７１に、ホスト価格を書き換える時刻を販売商品毎に記憶しておき、当該時刻になると、ホスト価格の書き換えが行われる。例えば、電子値札装置７が「１８時からタイムサービス」を表示した電子ＰＯＰ装置８を装着している場合には、１８時まではホスト価格を優先させ、１８時以降にタイムサービスに対応したＰＯＰ価格（タイムサービス価格７７）を優先させることで、規定時刻に確実に価格変更することができる。
【００５４】
なお、電子値札装置７の価格更新ボタン１２により価格更新指示を行う構成に代えて、電子ＰＯＰ装置８の表示データファイルを変更した時点で、ホスト装置５に価格更新指示情報が送信される構成としてもよい。これにより、表示データファイル変更時に自動的に商品マスタ７１のホスト価格が自動的に書き換えるため、電子ＰＯＰ装置８に表記された内容と電子値札装置７の表示価格７４とを確実に一致させることができる。
【００５５】
なお、上記したように本実施形態では電子ＰＯＰ装置８を例に挙げて説明したが、電子ＰＯＰ装置８に限らず、付加情報を表記したＰＯＰ表示具９５でもよい。この場合、図１０に示すようにＰＯＰ表示具９５は、プラスチック材等の薄板材で、中央に電子値札装置７を装着するための矩形状の装着開口９６が形成されている。また、ＰＯＰ表示具９５には、装着開口９６の上縁部に凹凸部９７が形成され、ＰＯＰ表示具９５に表記された付加情報の種類を識別する際に利用される。電子値札装置７は、上部に複数の検出スイッチ９８（図では３つ）が設けられ、ＰＯＰ表示具９５の装着開口９６に電子値札装置７が装着されることで、凹凸部９７に検出スイッチ９８が押下され、装着されたＰＯＰ表示具９５の付加情報を識別する。そして、ホスト装置５は、電子値札装置７から取得した付加情報に基づいて、商品マスタ７１を更新する。
【００５６】
一方で、上記の例に示した、商品情報表示システム１の各機能をソフトウェアプログラムとして提供することも可能である。また、そのプログラムを記憶媒体（図示省略）に格納して提供できる。記憶媒体としては、ＣＤ−ＲＯＭ、フラッシュＲＯＭ、メモリカード（コンパクトフラッシュ（登録商標）、スマートメディア、メモリースティック等）、光磁気ディスク、デジタルバーサタイルディスクおよびフレキシブルディスク等を利用することができる。
【００５７】
上記に示した実施例によらず、商品情報表示システム１の処理工程について、本発明の要旨を逸脱しない範囲で、適宜変更も可能である。
【図面の簡単な説明】
【００５８】
【図１】商品情報表示システムのシステム構成図である。
【図２】電子値札装置の斜視図である。
【図３】電子ＰＯＰ装置の斜視図である。
【図４】商品情報表示システムの制御構成図である。
【図５】ＰＯＰコードと表示データファイルとの関係を示す図である。
【図６】商品マスタの一例を示す図である。
【図７】優先価格指定ツールの一例を示す図である。
【図８】商品情報表示システムにおける表示制御処理を示すフローチャートである。
【図９】ＰＯＰコードと表示データファイルと割引率との関係を示す図である。
【図１０】ＰＯＰ表示具を装着する場合における電子値札装置およびＰＯＰ表示具の斜視図である。
【符号の説明】
【００５９】
１…商品情報表示システム  ２…電子表示装置  ５…ホスト装置  ７…電子値札装置  ８…電子ＰＯＰ装置（ＰＯＰ装置）  ７１…商品マスタ  ７４…表示価格  ８８…優先価格指定ツール（優先価格指定手段）  ９５…ＰＯＰ表示具（ＰＯＰ装置）
【図１】
2008212445.tif 000003
【図２】
2008212445.tif 000004
【図３】
2008212445.tif 000005
【図４】
2008212445.tif 000006
【図５】
2008212445.tif 000007
【図６】
2008212445.tif 000008
【図７】
2008212445.tif 000009
【図８】
2008212445.tif 000010
【図９】
2008212445.tif 000011
【図１０】
2008212445.tif 000012